(57)【要約】  【課題】  ユーザーの利便性を向上させる。  【解決手段】  機器の電源がオンされるとバッテリー残量検出部はバッテリー残量を検出し、ＣＰＵに出力する。ＣＰＵはバッテリー残量検出部からの検出結果に基づき、バッテリー残量を表す変数Ｋを生成する。以後、機器の電源がオフされるまでの間、バッテリー残量検出部は所定時間経過するごとに現在のバッテリー残量を表す変数Ｋｃを生成し、変数Ｋと比較を行うことで、残量レベルが変化したか否かを判断する。残量レベルが変化したと判断した場合は、設定情報格納エリアから残量レベルに対応した設定を読み出し各部に反映させる。設定の反映が完了したらその旨をユーザーに報知する。【選択図】    図１
2013031121.tif 000002
【特許請求の範囲】
【請求項１】
複数の機能を実行する実行手段、
自機に取り付けられたバッテリーの残量を検出する検出手段、
検出された前記残量に応じて、前記実行可能な機能の一部または全部を変更する変更手段、
前記変更手段によって前記実行手段による実行機能の一部または全部が変更された場合に変更された実行機能をユーザーに報知する報知手段を備える電子機器。
【請求項２】
前記報知手段は、音声出力手段、光出力手段、振動出力手段のうち、いずれかによって報知する請求項１に記載の電子機器。
【請求項３】
ユーザーの指示を受け付ける操作手段、をさらに備え、
前記変更手段は、前記操作部が受け付けたユーザーの指示に応じて、前記実行手段による実行機能の一部または全部を変更する、請求項１および２に記載の電子機器。
【請求項４】
前記検出手段は、所定の時間毎に前記残量の検出を繰り返す請求項１乃至３に記載の電子機器。
【発明の詳細な説明】
【技術分野】
【０００１】
本発明は、電子機器に関し、とくに電子機器の省電力化に関する。
【背景技術】
【０００２】
近年、デジタルカメラやＩＣレコーダーなどの電子機器が普及している。これらの電子機器は、一般的に充電可能なバッテリー（電池）から電力が供給されることで動作している。
【０００３】
電子機器の動作可能時間は、電子機器の単位時間あたりの消費電力によって決まる。単位時間あたりの消費電力は、電子機器が備える各部の設定より異なる。
【０００４】
例えば、電子機器がデジタルカメラである場合、ＬＣＤモニタ等の表示部の明るさ、撮像素子の駆動速度、およびＧＰＳ（Global Positioning System）や傾斜センサなどの各種センサのオン/オフ状態などの設定状態により、単位時間あたりの消費電力が異なる。
【０００５】
つまり、電子機器の各部の電力消費を抑制することで、電子機器の動作可能時間を長くすることができる。
【０００６】
例えば、特許文献１には、バッテリー残量が所定値以下になった場合は省電力モードに設定し、各部の消費電力を抑制することで、撮影時間を長く確保する動画像符号化記録装置について開示されている。
【先行技術文献】
【特許文献】
【０００７】
【特許文献１】特開２００８−７８９６９号公報
【発明の概要】
【発明が解決しようとする課題】
【０００８】
特許文献１に開示されている発明は、バッテリー残量が所定値以下になると自動的に省電力モードに移行する。しかしながら、省電力モードに移行した場合に装置の各部がどのような設定に変更されたかを知ることはできず、ユーザーにとって不便である。
【課題を解決するための手段】
【０００９】
本発明は、上記課題に鑑みてなされたものであり、本願発明にかかる電子機器は、（クレーム完成後、挿入）ことを特徴とする。
【発明の効果】
【００１０】
本発明によると、バッテリー残量が低下し、省電力化を図るために機器の設定が変更された場合に、具体的にどの設定項目が変更されたを知ることができ、ユーザーの利便性が向上する。
【図面の簡単な説明】
【００１１】
【図１】本発明にかかる撮像装置１の構成の概略を示すブロック図である。
【図２】メモリ１２の内部構成の概略を示すブロック図である。
【図３】撮像装置１の設定情報の一例を示す模式図である。
【図４】撮像装置１の設定が変更された場合の報知の態様の一例を表す図解図である。
【図５】撮像装置１の設定が変更された場合の報知の態様の他の一例を表す図解図である。
【図６】撮像装置１の自動省電力モードの処理動作を示すフローチャートである。
【発明を実施するための形態】
【実施例】
【００１２】
（撮像装置１の構成）
本発明の一実施形態をデジタルカメラやデジタルビデオカメラ等の撮像装置に適用した場合を例として説明する。図１は本発明に係る撮像装置１の構成の概略を示すブロック図である。
【００１３】
撮像装置１は、撮像素子（イメージセンサ）２と、被写体の撮影画角を変更するためのズームレンズ４、被写体にピントを合わせる為のフォーカスレンズ６、露光量を調整するための絞り８などを備える撮像部１０を備える。
【００１４】
また、撮像装置１は、撮像部が捉えた被写体に相当する画像（以下、被写体画像と記載する。）等を一時記録するメモリ１２、メモリ１２に一時記録された被写体画像に色補間処理、ホワイトバランス調整、ノイズリダクション処理等の各種信号処理を施す信号処理部１４を備える。
【００１５】
また、撮像装置１は、信号処理部１４で処理された被写体画像が静止画である場合はＪＰＥＧ（Joint Photographic Experts Group）方式、動画である場合はＭＰＥＧ（Moving Picture Experts Group）方式などにより該被写体画像に圧縮符号化処理を施し、圧縮画像信号を生成する画像コーデック部１６を備える。
【００１６】
また、撮像装置１は、自装置に電力を供給し、動作させるためのバッテリー１８、バッテリー１８の残量を検出するバッテリー残量検出部２０を備える。
【００１７】
また、撮像装置１は、被写体画像を表示する表示部２４、撮影された被写体画像を記録する記録媒体２６、撮像装置１の動作を制御するＣＰＵ（Central Processing Unit）２８を備える。
【００１８】
また、撮像装置１は、撮像装置１に対するユーザからの操作を受け付け、当該操作に応じた指示をＣＰＵ２８に与える操作部２２、撮像装置１本体の状態を検出するセンサ部３０を備える。
【００１９】
また、撮像装置１は音声を入力するためのマイク、および音声を出力するためのスピーカーを含む音声入出力部３２を備える。
【００２０】
撮像素子２は、例えば、ＣＣＤ（Charge Coupled Device）イメージセンサ、ＣＭＯＳ（Complementary Metal Oxide Semiconductor）イメージセンサ等の固体撮像素子が使用される。
【００２１】
メモリ１２は、例えば、ＶＲＡＭ（Video Random Access Memory）、ＳＲＡＭ（Static Random Access Memory）、ＤＲＡＭ（Dynamic Random Access Memory）、或いはＳＤＲＡＭ（Synchronous DRAM）などの一般的に用いられているメモリが使用される。
【００２２】
信号処理部１４は、撮像部１０が捉えている被写体画像に、人物の顔が含まれているか否かを検出する顔検出部１４１を備える。
【００２３】
操作部２２は、撮影処理を実行させるシャッタボタン２２１、ズームレンズ４を駆動させ、被写体のズーム倍率を調節するズームスイッチ（図示せず。）、セルフタイマーをセットするタイマースイッチ（図示せず。）、などを備える。
【００２４】
表示部２４は、例えば、ＬＣＤ（Liquid Crystal Display）モニタや有機ＥＬ（Electro-Luminescence）モニタが使用される。また、表示部２４は、人の指の接触を感知するタッチパネル式であっても構わない。
【００２５】
記録媒体２４は、例えばフラッシュメモリや内蔵型ＨＤＤ（Hard Disk Drive）などの撮像装置１に内蔵される内部記録媒体が使用される。
【００２６】
或いは、内蔵記録媒体の代わりにＳＤメモリカードやメモリスティック（登録商標）、外付けＨＤＤなどの撮像装置１への着脱が自在な外部記録媒体が使用されても良い。
【００２７】
センサ部３０は、撮像装置１の現在位置を測位するＧＰＳ３０１、撮像装置１の姿勢を検出する傾斜センサ３０２、および、撮像装置１の本体内部の温度を検出する温度センサ３０３、などを備える。
【００２８】
（撮像装置１の自動省電力モード）
次に、図２および図３を参照して、撮像装置１の自動省電力モードについて説明する。図２は、メモリ１２の内部構成の概略を示すブロック図である。図３は、撮像装置１のバッテリー残量と各動作設定の対応（以下、設定情報と記載する。）の一例を示す模式図である。
【００２９】
ここでいう動作設定とは、撮像装置１の各動作設定項目の設定パラメータの組み合わせである。動作設定項目については後述する。
【００３０】
メモリ１２は、設定情報を格納する設定情報格納エリア１２１、および現在のバッテリー残量を表す変数Ｋを保持する残量レベル格納エリア１２２を備える。
【００３１】
また、メモリ１２は、ＹＵＶ変換、ホワイトバランス調整処理などの画像処理を行う場合に画像データを一時記録する画像処理エリア１２３を備える。
【００３２】
また、メモリ１２は、画像データ以外のデータ（例えば、撮像装置１のファームウェアのアップデートプログラムなど。）を一時的に記憶するフリーエリア１２４を備える。
【００３３】
撮像装置１のバッテリー残量は、例えば、Ｌｖ．1〜Ｌｖ．４の４段階のレベル（以下、残量レベルと記載する。）に分類して管理される。
【００３４】
Ｌｖ．１はバッテリー残量が８１〜１００％、Ｌｖ．２はバッテリー残量が５１〜８０％、Ｌｖ．３はバッテリー残量が２１〜５０％、Ｌｖ．４はバッテリー残量が０〜２０％に相当する。
【００３５】
変数Ｋは残量レベルに対応し、残量レベルがＬｖ．１である場合はＫ＝１、Ｌｖ．２である場合Ｋ＝２、Ｌｖ．３である場合はＫ＝３、Ｌｖ．４である場合はＫ＝４として残量レベル格納エリア１２２に格納される。
【００３６】
尚、このバッテリー残量の分類はこれに限定されず、より細かく分類（例えば、Ｌｖ．１〜Ｌｖ．１０の１０段階など。）して管理するようにしてもよい。
【００３７】
動作設定項目は、１．スリープモードへ移行するまでの時間、２．表示部の明るさ、３．ＡＦ制御、４．傾斜センサーのオン/オフ、５．ＧＰＳのオン/オフ、および６．顔検出機能のオン/オフの６項目がある。
【００３８】
各残量レベルにおける各動作設定項目の設定状態の組み合わせが動作設定である。
【００３９】
例えば、残量レベルがＬｖ．１の場合は、スリープモードへ移行するまでの時間は３０秒、表示部の明るさ明るめ、ＡＦ制御はＣ−ＡＦ（Continuous-Auto Focus）、傾斜センサはオン状態、ＧＰＳはオン状態、顔検出機能はオン状態に動作設定される。
【００４０】
残量レベルがＬｖ．４の場合は、スリープモードへ移行するまでの時間は１０秒、表示部の明るさは暗め、ＡＦ制御はＳ−ＡＦ（Single-Auto Focus）、傾斜センサはオフ状態、ＧＰＳはオフ状態、顔検出機能はオフ状態に動作設定される。
【００４１】
尚、動作設定項目の数はこれに限定されず、より多数の動作設定項目（例えば、１０項目など。）であってもよい。
【００４２】
また、設定情報をユーザー自身が自由にカスタマイズできるようにしてもよい。設定情報がユーザーよって変更された場合、設定情報格納エリア１２１に格納されている設定情報が更新される。
【００４３】
撮像装置１の電源がオンされると、バッテリー残量検出部２０はにバッテリー１８のバッテリー残量を検出する。
【００４４】
バッテリー残量は、例えば、バッテリー１８から供給される電力の電圧値、或いは電圧値の効果状況から検出する事が出来る。
【００４５】
バッテリー残量検出方法の詳細は、特開２００５−３２６２３３号公報に細かく開示されている。
【００４６】
バッテリー残量検出部２０は、バッテリー１８のバッテリー残量を検出すると、検出結果をＣＰＵ２８に出力する。
【００４７】
ＣＰＵ２８は、バッテリー残量検出部２０から出力された検出結果から残量レベルを検出し、残量レベルに対応する変数Ｋを生成し、残量レベル格納エリア１２２に格納する。
【００４８】
次にＣＰＵ２８は、設定情報格納エリアから現在の残量レベルに対応する設定（例えば、Ｋ＝１である場合はＬｖ．１に対応する設定）を読み出し、各部に反映させる。
【００４９】
バッテリー残量検出部２０は、以後、所定時間毎（例えば１０分毎など。）にバッテリー残量の検出を繰り返し、検出結果をＣＰＵ２８に出力する。
【００５０】
ＣＰＵ２８は、所定時間毎にバッテリー残量検出部２０から出力される検出結果に応じて、現在の残量レベルに対応する変数Ｋｃを生成し、残量レベル格納エリア１２２に格納されている変数Ｋと比較を行う。
【００５１】
Ｋ＝Ｋｃである場合は、残量レベルは変化していないと判断する。Ｋ≠Ｋｃである場合は、残量レベルが変化したと判断する。
【００５２】
ＣＰＵ２８は、残量レベルが変化したと判断した場合、残量レベル格納エリア１２２に格納されている変数Ｋの値をＫｃの値で更新する。
【００５３】
続いてＣＰＵ２８は、設定情報格納エリア１２１から対応する設定を読み出し、現在の撮像装置１の設定と比較を行い、６個の設定項目のうち、設定変更が必要な項目を検出する。
【００５４】
例えば、残量レベルがＬｖ．１からＬｖ．２に変化した場合、スリープモードへ移行するまでの時間、表示部の明るさ、傾斜センサのオン/オフ状態の３項目の設定変更が必要になる。
【００５５】
ＣＰＵ２８は、設定変更が必要な３項目の設定を変更し、設定の変更の変更があった旨を表示部２４に表示させることでユーザーに報知する。
【００５６】
このとき、例えば、示すようにどの設定項目に設定変更があったのかをユーザーが明確に理解できるように表示を行う。
【００５７】
具体的には、例えば、図４Ａに示すようなテキスト表示、あるいは図４Ｂに示すようなアイコン表示を行うことで、ユーザーはどの動作設定項目に変更があったかを明確に理解することができる。
【００５８】
尚、残量レベルがＬｖ．２からＬｖ．３に変化した場合、ＣＰＵ２８は、ＡＦ制御とＧＰＳのオン/オフ状態の２項目が設定変更され、表示部２４に図５Ａに示すようなテキスト表示、あるいは図５Ｂに示す様なアイコン表示をさせる。
【００５９】
このようにすることで、ユーザーは、撮像装置１の設定に変更があった場合、どのような設定項目が変更されたのかを理解することができ、利便性が向上する。
【００６０】
自動省電力モードは、撮像装置１の電源がオフされるまで繰り返される。
【００６１】
図６は、撮像装置１の自動省電力モードにかかる処理動作を示すフローチャートである。撮像装置１の電源がオンされると、ステップＳ６０１に移行する。
【００６２】
ステップＳ６０１では、バッテリー残量検出部２０がバッテリー残量を検出し、検出結果をＣＰＵ２８に出力する。
【００６３】
ステップＳ６０３では、ＣＰＵ２８がバッテリー残量検出部２０からの出力結果に基づき変数Ｋを生成し、残量レベル格納エリア１２２に変数Ｋの値を格納する。
【００６４】
ステップＳ６０５では、変数Ｋの値に対応する設定を設定情報格納エリアから読み出し各部に反映させる。
【００６５】
ステップＳ６０７では、ＣＰＵ２８は、所定時間が経過したか否かを判別する。所定時間が経過した場合はステップＳ６０９に進み、そうでない場合はステップＳ６０７を繰り返す。
【００６６】
ステップＳ６０９では、バッテリー残量検出部２０がバッテリー残量を検出し、検出結果をＣＰＵ２８に出力する。
【００６７】
ステップＳ６１１では、ＣＰＵ２８がバッテリー残量検出部２０からの出力結果に基づき変数Ｋｃを生成する。ステップＳ６１３では、変数Ｋの値と変数Ｋｃの値が等しいか否かを判断する。
【００６８】
ＣＰＵ２８によって、変数Ｋの値と変数Ｋｃの値が等しいと判断された場合はステップＳ６０７に戻り、そうでない場合はステップＳ６１５に進む。
【００６９】
ステップＳ６１５では、変数Ｋの値を変数Ｋｃの値で更新する。ステップＳ６１７では、変数Ｋの値に対応する設定を設定情報格納エリアから読み出し各部に反映させる。
【００７０】
ステップＳ６１９では、設定変更があった旨を表示部２４にテキスト表示させることでユーザーに報知する。ステップＳ６２１では、ユーザーによって撮像装置１の電源をオフする操作がなされたか否かを判断する。
【００７１】
ユーザーによって撮像装置１の電源をオフする操作がなされた場合は自動省電力モードを終了する。そうでない場合はステップＳ６０７に戻る。
【００７２】
上記実施例では、設定変更があった場合に、その旨を表示部２４にテキスト表示、あるいはアイコン表示させることでユーザーに報知するようにしているが、例えば、音声出力や振動出力によって設定変更があった旨を報知するようにしても良い。
【００７３】
また、例えば、動画像撮影中などに残量レベルが変化した場合は、動画像の撮影が終了するまで設定の変更を保留するようにしても良い。
【００７４】
また、自動省電力モードをユーザーが任意でオン/オフできるようにしても良い。
【００７５】
また、バッテリー充電によってバッテリー残量が増えた場合についても上記実施例を適用すようにしても良い。
【００７６】
以上、本発明の一実施例について説明したが、本発明はこれらの実施例に限定されず、その要旨の範囲内で変形及び変更が可能である。
【符号の説明】
【００７７】
２      撮像素子
４      ズームレンズ
６      フォーカスレンズ
８      絞り
１２      メモリ
１４      信号処理部
１６      画像コーデック部
１８      バッテリー
２０      バッテリー残量検出部
２２      操作部
２２１    シャッタボタン
２４      表示部
２６      記録媒体
２８      ＣＰＵ
３０      センサ部
３０１    ＧＰＳ
３０２    傾斜センサ
３０３    温度センサ
３２      音声入出力部
【図１】
2013031121.tif 000003
【図２】
2013031121.tif 000004
【図３】
2013031121.tif 000005
【図４】
2013031121.tif 000006
【図５】
2013031121.tif 000007
【図６】
2013031121.tif 000008